(57)【要約】      （修正有）【課題】任意の芳香成分を簡単に収納、発散させる芳香成分の担体部を備えるようにして、自分の気に入った香りを周囲に放出することができる、とりわけ、家具・インテリア、寝具、文具、肌着、車載品、日用雑貨などの日用品を提供する。【解決手段】壁部および底部により形成され、芳香成分を収納するための開口部を有する筺体３と、筺体３の開口部を覆うように配置され、筺体３内の芳香成分が外へ透過するための孔を有する蓋体２とを備えた芳香成分の担体部が嵌合により枠体６に収納された構成５００を、粘着剤層８−３による粘着力で日用品の本体７に取り付けてなる日用品。【選択図】図１０
0003190201.tif 000002
【実用新案登録請求の範囲】
【請求項１】
芳香成分を収納するための部材と、該部材の一面を覆うように配置され、芳香成分を収納するための部材から芳香成分が外へ透過するための孔を有する蓋体とを備えた芳香成分の担体部を着脱可能に取り付けてなる日用品。
【請求項２】
前記芳香成分を収納するための部材が多孔質の焼結体からなる請求項１に記載の日用品。
【請求項３】
前記芳香成分を収納するための部材が、芳香成分を収納するための開口部を備えた筺体であり、さらに該筺体の開口部を覆うように配置され、筺体内から芳香成分が外へ透過するための孔を有する蓋体が、該筺体から着脱可能に取り付けられてなる請求項１に記載の日用品。
【請求項４】
さらに前記芳香成分の担体部を固定する枠体を利用して、前記芳香成分の担体部を嵌合により取り付けてなる請求項３に記載の日用品。
【請求項５】
前記枠体が磁力、粘着力または面ファスナーにより日用品の本体に取り付けられてなる請求項４に記載の日用品。
【考案の詳細な説明】
【考案の詳細な説明】
【技術分野】
【０００１】  本考案は、任意の芳香成分を簡単に収納、発散することが可能な芳香成分の担体部を備えることにより、自分の気に入った香りを周囲に発散することができる日用品に関し、特に家具・インテリア、寝具、文具、肌着、車載品、日用雑貨などの日用品に関する。
【背景技術】
【０００２】  人間、誰しも悪臭を嗅げば不快に感じ、良い香りを嗅げば心地良く感じる。しかし、一概に良い香りといっても、それぞれ好みがあり、例えば、柑橘系であったり、ハーブ系であったり、また、フローラル系であったりと各人各様と言える。さらに最近は香りに対する研究が進み、精神を落ち着かせて集中力を高める他に、香りによっては、睡眠を深くする効果や高揚感を促す効果もあると言われている。そんな中、近頃では市販される芳香剤にも、色々な香りの種類が出回るようになっているが、世の中で入手できる芳香成分が全て芳香剤として市販されているわけではない。【０００３】  市販されている芳香剤と比較して、その他の方法で入手した芳香成分がいつも発散されるような環境を手軽に作ることは相当に困難である。例えば、瓶詰された液状の芳香成分を入手した場合、スプレーボトルに移し替え、霧状にして辺りに散布するか、香りを長時間持続させるには、カーテンなどの保持性の極力高いようなものに吹き付けるという方法は簡単に思いつく。しかし、その方法が利用できる場所も自宅などに限られ、第一、少し粘度の高い液体になれば霧状にするのも困難である。【０００４】  上記に挙げた香りの効果は、多分に精神的な作用が関与していると考えられるため、自分の最も好む香りが、その人において最も高い効果をもたらすという可能性がないとは言えない。そういった意味では、いつでも、そして、どこでも自分の最も好む香りを手軽に周囲に漂わせることができるような方法が求められる。【０００５】  従来、多くの日用品において、芳香成分を収納し発散させる機能を付加する工夫がされてきた。その結果として、例えば、家具や寝具などの大型のもの（例えば、特許文献１、２、３、４）から、ハンガーや手鏡等の小型のもの（例えば、特許文献５、６、７）まで、色々な技術が開示されている。
【先行技術文献】
【特許文献】
【０００６】
【特許文献１】特開２００１−１０４０７６号公報
【特許文献２】特開平０６−０６８５３５号公報
【特許文献３】特開平０８−２４２９７５号公報
【特許文献４】実用新案登録第３０１８５４７号公報
【特許文献５】特開２００７−１５１６５７号公報
【特許文献６】実用新案登録第３０５００７３号公報
【特許文献７】実用新案登録第３１８５２７５号公報
【考案の概要】
【考案が解決しようとする課題】
【０００７】  以上のように、さまざまな日用品において、芳香成分を発散させるような工夫がされているが、本来の目的ではなく、付加的な機能であることから、芳香成分の補充や取り替え作業を、極力、簡単にするといった発想が盛り込まれているものは多くない。【０００８】  例えば、日用品の本体に芳香成分を収納する部位を設ける方法はよく利用される。しかし、対象とする日用品が大型のもので、作業スペースの狭い場所に置かれている場合、この方法で芳香成分を収納する部位が設けられていると、芳香成分の補充や取り換え作業は困難となる。また、持ち運びができても、小さくて複雑な形状をしたものなどでは、同様に芳香成分の補充や取り替え作業は困難となる。【０００９】  もちろん、日用品の本体と芳香成分を収納する部位とを、別々に備える方法も多々開示されている。それでも、芳香成分の収納のために、綿状のものを用いた場合は、利用できる芳香成分は液体だけに制約され、また、ほとんどにおいて、芳香成分を収納する部位は日用品の定められた場所に固定されるというものである。【００１０】  以上の様に、日用品から香りを発散させるための技術が多数開示されているが、そのほとんどは、専ら、周囲に香り成分を発散させることが目的であるため、芳香成分の種類を即座に取り換えたり、長時間、放出させることが困難な構造になっている。そのために、自分の気に入った芳香成分を簡単に収納、発散させることができないという問題があった。【００１１】  そこで本考案が解決しようとする課題は、任意の芳香成分を簡単に収納、発散させる芳香成分の担体部を備えるようにして、自分の気に入った香りを周囲に放出することができる、とりわけ、家具・インテリア、寝具、文具、肌着、車載品、日用雑貨などの日用品を提供することにある。
【課題を解決するための手段】
【００１２】  すなわち、本考案は、（１）芳香成分を収納するための部材と、該部材の一面を覆うように配置され、芳香成分を収納するための部材から芳香成分が外へ透過するための孔を有する蓋体とを備えた芳香成分の担体部を着脱可能に取り付けてなる日用品である。【００１３】  また、本考案は、（２）前記芳香成分を収納するための部材が多孔質の焼結体からなる（１）項に記載の日用品である。【００１４】  また、本考案は、（３）前記芳香成分を収納するための部材が、芳香成分を収納するための開口部を備えた筺体であり、さらに該筺体の開口部を覆うように配置され、筺体内から芳香成分が外へ透過するための孔を有する蓋体が、該筺体から着脱可能に取り付けられてなる（１）項に記載の日用品である。【００１５】  また、本考案は、（４）さらに前記芳香成分の担体部を固定する枠体を利用して、前記芳香成分の担体部を嵌合により取り付けてなる（３）項に記載の日用品である。【００１６】  また、本考案は、（５）前記枠体が磁力、接着力または面ファスナーにより日用品の本体に取り付けられてなる（４）項に記載の日用品である。【００１７】  そして、これらのような構成を有する日用品とすることにより、上記の課題を全て解決することが可能となる。
【考案の効果】
【００１８】  まず、上記（１）項の構成では、芳香成分の担持部を日用品の本体に対して着脱可能に取り付けているため、本体に直接芳香成分の収納部を設ける技術と比較して、芳香成分の取り換えや補充がより簡単に行うことができる。【００１９】  また、上記（２）項の構造の特徴である、芳香成分を収納するための部材が多孔質の焼結体からなるため、特に液状の芳香成分が簡単に収納できる。【００２０】  また、上記（３）項の構造の特徴である、日用品から香りを発散させるための芳香成分の担持部が、適度な容積を確保可能な筐体と蓋体とからなるため、液状や固体状などの多様な芳香成分を利用することを可能にする。【００２１】  また、上記（４）項の構造の特徴である、芳香成分の担体部を取り付けるための枠体を備えることにより、日用品の本体に対して、芳香成分を収納した担体部の取り付けや取り外しが容易で、簡単に芳香成分を補充したり、種類を交換したりすることができるようになる。【００２２】  また、上記（５）項の構造の特徴により、日用品の本体から芳香成分の担体部を取り付けたままで枠体自体の着脱が可能となり、一層、簡単に芳香成分を補充したり、種類を交換したりすることができるようになる。さらに日用品の本体に芳香成分の担体部を取り付けるための特別な加工もしなくて済むという効果を有する。【００２３】  以上の構成により、任意の芳香成分を簡単に収納、発散させる芳香成分の担体部を備えるようにして、自分の気に入った香りを周囲に放出することのできる日用品を提供することが可能となり、上記の課題を解決することができる。
【図面の簡単な説明】
【００２４】
【図１】（ａ）は芳香成分の担体部の一実施形態を示した断面図である。（ｂ）はその担体部の立体図である。
【図２】（ａ）は筺体と蓋体とで構成される芳香成分の担体部の一実施形態を示す断面図である。（ｂ）はその実施形態の蓋体を筺体に取り付ける前の状態を示す芳香成分の担体部の立体図である。（ｃ）はその実施形態の蓋体を筺体に取り付けた後の状態を示す芳香成分の担体部の立体図である。
【図３】（ａ）は芳香成分の担体部の筺体内に液体の芳香成分を収納した例を示す断面図である。（ｂ）は芳香成分の担体部の筺体内に粒子状の芳香成分を収納した例を示す断面図である。（ｃ）は芳香成分の担体部の筺体内に固体の芳香成分を収納した例を示す断面図である。（ｄ）は芳香成分の担体部の筺体内に芳香成分を含浸させた多孔質の焼結体を収納した例を示す断面図である。（ｅ）は芳香成分の担体部の筺体内に液状の芳香成分を含浸させた繊維質のものを収納した例を示す断面図である。
【図４】（ａ）は芳香成分の担体部の枠体の一実施形態を示した立体図である。（ｂ）および（ｃ）は当該枠体に、それぞれ図１及び図２の芳香成分の担体部を内挿した状態を示した立体図である。
【図５】（ａ）は芳香成分の担体部の枠体の他の一実施形態を示した断面図である。（ｂ）は芳香成分の担体部を枠体に挿入した時の状態を示した断面図である。
【図６】（ａ）は図５で示した芳香成分の担体部の枠体に、芳香成分の担体部を内挿する前の立体図である。（ｂ）は当該枠体に芳香成分の担体部を挿入した後の状態を示した立体図である。
【図７】（ａ）は図２で示した芳香成分の担体部を日用品の本体に取り付ける一実施形態を示した断面図である。（ｂ）は図２で示した芳香成分の担体部を日用品の本体に取り付ける他の実施形態を示した断面図である。（ｃ）は図２で示した芳香成分の担体部を日用品の本体に取り付ける他の実施形態を示した断面図である。
【図８】（ａ）は図４で示した芳香成分の担体部の枠体を日用品の本体に取り付ける一実施形態を示した断面図である。（ｂ）は図４で示した芳香成分の担体部の枠体を日用品の本体に取り付ける他の実施形態を示した断面図である。（ｃ）は図４で示した芳香成分の担体部の枠体を日用品の本体に取り付ける他の実施形態を示した断面図である。
【図９】（ａ）は図５で示した芳香成分の担体部の枠体を日用品の本体に取り付ける一実施形態を示した断面図である。（ｂ）は図５で示した芳香成分の担体部の枠体を日用品の本体に取り付ける他の実施形態を示した断面図である。（ｃ）は図５で示した芳香成分の担体部の枠体を日用品の本体に取り付ける他の実施形態を示した断面図である。
【図１０】本考案の第一実施例の箪笥の立体図である。
【図１１】本考案の第二実施例の鏡台の立体図である。
【図１２】（ａ）は本考案の第三実施例の寝具のうちのベッド周りを表す立体図である。（ｂ）は本考案の第三実施例の寝具のうちのアイマスクの立体図である。
【図１３】本考案の第四実施例のカーテンの立体図である。
【図１４】（ａ）は本考案の第五実施例の車載品の状態を表す立体図である。（ｂ）はその車載品としてのカップホルダーの立体図である。（ｃ）はその車載品としてのぬいぐるみの平面図である。
【図１５】本考案の第六実施例のハンガーの立体図である。
【図１６】本考案の第七実施例の手鏡の立体図である。
【図１７】本考案の第八実施例のヘアブラシの立体図である。
【図１８】本考案の第九実施例の扇子の立体図である。
【図１９】本考案の第十実施例のティッシュボックスの立体図である。
【図２０】本考案の第十一実施例のポンプボトルの立体図である。
【図２１】本考案の第十二実施例の小物入れの立体図である。
【図２２】（ａ）は本考案の第十三実施例のキーケースの立体図である。（ｂ）は本考案の第十四実施例のカードケースの立体図である。（ｃ）は本考案の第十五実施例のキーホルダーの立体図である。（ｄ）は本考案の第十六実施例のストラップの立体図である。
【図２３】本考案の第十七実施例のハンカチの立体図である。
【図２４】（ａ）は本考案の第十八実施例の肌着のうちの、ブラジャーの部分平面図である。（ｂ）は本考案の第十八実施例の肌着のうちの、ソックスの平面図である。（ｃ）は本考案の第十八実施例の肌着のうちの、シャツの平面図である。
【図２５】本考案の第十九実施例のクリップの立体図である。
【図２６】本考案の第二十実施例の卓上カレンダーの立体図である。
【図２７】本考案の第二十一実施例のしおりの立体図である。
【図２８】本考案の第二十二実施例の風鈴の立体図である。
【図２９】本考案の第二十三実施例の置時計の立体図である。
【図３０】本考案の第二十四実施例のイヤホンの立体図である。
【図３１】本考案の第二十五実施例の傘の立体図である。
【考案を実施するための形態】
【００２５】  本考案の最良な実施形態は、芳香成分を収納するための部材と、該部材の一面を覆うように配置され、芳香成分が筺体内から外へ透過するための孔を有する蓋体とを備えた芳香成分の担体部、さらに好ましくは、日用品の本体に装着させるための枠体とを備えることにより、芳香成分の取り換えや補充が極めて簡単に行える日用品である。以下、図面に示す実施例に基づいて具体的に説明するが、芳香成分の担体部等が不相応な大きさで図示されている場合は、その大きさであることを要しない。
【００２６】  本考案の芳香成分の担体部および枠体に関する説明
【００２７】  図１の（ａ）は、本考案の日用品を構成する芳香成分の担体部の一実施形態を説明するための断面図、図１の（ｂ）はその立体図である。芳香成分を収納するための部材１（以下、収納部材１と記載することもある）と、収納部材１の中に収納された芳香成分が外へ透過するための孔２−１を有する蓋体２とからなる最も簡単な構成の芳香成分の担体部１００を示している。この担体部は収納部材１の一面を蓋体２で覆う構造であり、略直方体状の収納部材１と蓋体２とを、蓋体２に設けた孔２−１をふさがない部分を接着剤などで接着して、一体の構造とするものである。
【００２８】  収納部材１は多孔質性の材料が好適に利用でき、例えば、無機酸化物を焼結して得られるセラミックなどが利用できる。また、収納部材１の中に収納された芳香成分の速放性から徐放性まで、求められる芳香成分の放出速度に応じて、蓋体２の孔２−１の数や大きさを調整することは、本考案においても好ましい態様である。
【００２９】  蓋体２の材質としては、高分子材料やアルミニウム、銅などの柔らかい金属が好適に利用でき、外見上、孔２−１が目立たないという点から多孔質プラスチックを利用することは本考案の好ましい態様である。
【００３０】  図２の（ａ）は、芳香成分を収納するための部材としての筺体と蓋体とからなる芳香成分の担体部の一実施形態を示す断面図である。まず、図のように、芳香成分の担体部２００（以下、単に担体部２００と略記することもある）は、開口部３−１、壁部３−２ａ、３−２ｂおよび底部３−３を有する筺体３と、筺体３内の芳香成分が外へ透過するための孔２−１を有する蓋体２とからなる。そして蓋体２が筺体３の開口部３−１を覆うようにして担体部２００が形成される。
【００３１】  さらに、筺体３から蓋体２が着脱可能となるように、蓋体２の端部の筺体３と接する部位には、図２の（ａ）では下方向に行くほど突起の幅が広くなる突起部２−３ａ、２−３ｂを設け、筺体３の壁部３−２ａ、３−２ｂには、蓋体２と接する部位から下方向に行くほど幅の狭くなる切れ込み３−４ａ、３−４ｂを設け、突起部２−３ａと切れ込み３−４ａ、突起部２−３ｂと切れ込み３−４ｂとで、蓋体２が筺体３に嵌合可能にしている。
【００３２】  この様な筺体３と蓋体２の材質については、加工が簡単であるといった点では高分子材料が好ましく、また、堅牢性からは金属材料が好ましい。
【００３３】  図２の（ｂ）は、この実施形態の蓋体２を筺体３に取り付ける前の状態を示す担体部２００の立体図、（ｃ）はその実施形態の蓋体２を筺体３に取り付けた後の状態を示す担体部２００の立体図である。
【００３４】  図３は筺体３内に芳香成分の収納のいくつかの形態を示す担体部２００の断面図である。図３の（ａ）は、筺体３内に液状の芳香成分４−１を収納していることを示す。芳香成分４−１が低粘度で浸透性が高い場合は、漏出しないように蓋体２の孔２−１の大きさを十分に小さく設計する必要がある。この様な場合、あるいは芳香成分４−１が低沸点で揮発性が高い場合等でも、蓋体２を多孔性の焼結体などとして、速放性から徐放性まで、求められる芳香成分の放出速度に応じて、孔２−１の数や大きさを調整することは、本考案においても好ましい態様である。
【００３５】  図３の（ｂ）は、筺体３内に粒子状の芳香成分４−２を収納していることを示す。この場合は、蓋体２の孔２−１の大きさは芳香成分４−２の粒子より小さく設定すれば芳香成分４−２の漏出は防止できる。粒子状の芳香成分は昇華により成分が放出されることが多く、芳香成分４−２が昇華性を有する時は、粒子径が小さくなると表面積が増大して昇華の速度が速くなる。また、蓋体２の孔２−１の大きさや数の多少によって、筺体３の内外の空気の移動量が変化するため、昇華の速度にも直接影響する。そこで、やはり速放性から徐放性まで、求められる香り成分の放出速度に応じて、芳香成分４−２の粒子径や、蓋体２の孔２−１の数や大きさを調整することが好ましい。
【００３６】  図３の（ｃ）は、筺体３内に一塊の固形状の芳香成分４−３を、（ｄ）は液状の芳香成分を含浸させた多孔質の焼結体４−４を、（ｅ）は液状の芳香成分を含浸させた繊維質のもの４−５を収納していることを示す。これらは、蓋体２の孔２−１の形状や大きさに係わらず、芳香成分の漏出がほとんど起こらず、さらに異なる香りの芳香成分への取り換えが簡単であるという観点から、本考案においても好ましい態様である。
【００３７】  図４の（ａ）は、担体部を日用品に取り付ける補助部材として利用する枠体の一実施形態を示す立体図である。枠体５は略直方体の形状をなし、担体部を嵌合によって収納可能な空洞部５−１と、蓋体の孔をふさぐことがないように開口部５−２とを有する。さらに図４の（ｂ）は、枠体５に芳香成分の担体部１００を嵌合により収納した時の構成３００の立体図、図４の（ｃ）は、枠体５に芳香成分の担体部２００を嵌合により収納した時の構成４００の立体図である。
【００３８】  この形状からなる枠体５は、図５で後記する枠体６より変形や破損が起こりにくい構造であるため、布や薄手の高分子などの柔らかい材質でできている日用品に取り付けるのに適している。また、芳香成分の担体部が抜け出ることが少ない構造であるため、戸外に持ち出す日用品にも適しているという観点から、枠体５の利用は本考案においても好ましい態様である。
【００３９】  この様な枠体５の材質については、加工が簡単であるといった点では高分子材料が好ましく、また、堅牢性からは金属材料が好ましい。
【００４０】  図５の（ａ）は、担体部を日用品に取り付ける補助部材として利用する枠体の別の実施形態を説明するための、担体部２００を枠体６に嵌合する前の状態を示す断面図、（ｂ）は担体部２００を枠体６に嵌合した後の状態を示す断面図である。
【００４１】  図５の（ａ）では、担体部２００の筺体３の底部３−３の外側（図５においては横方向）に突起部３−５ａおよび３−５ｂを設け、枠体６側には逆Ｌ字型の突起部６−１ａおよび６−１ｂを設ける。そして、突起部３−５ａと突起部６−１ａとを、また、突起部３−５ｂと突起部６−１ｂとを嵌合させることにより、担体部２００を枠体６に取り付けることができる。
【００４２】  この様な枠体６の材質については、加工が簡単であるといった点では高分子材料が好ましく、また、堅牢性からは金属材料が好ましい。
【００４３】  図６の（ａ）は、枠体６に芳香成分の担体部２００を嵌合により収納する前の立体図、図６の（ｂ）は、枠体６に芳香成分の担体部２００を嵌合により収納した時の構成５００の立体図である。
【００４４】  この形状からなる枠体６は、枠体５より変形や破損が起こりやすい構造であるため、木、石、ガラス、硬質の高分子、金属などの硬い材質でできている日用品に取り付けるのが好ましい。また、芳香成分の担体部の取り外しが簡単な構造であるため、家具や室内で利用する日用品に適しているという観点から、枠体６の利用は本考案においても好ましい態様である。
【００４５】  図７の（ａ）は、枠体を用いずに、直接、芳香成分の担体部を日用品に着脱自在に取り付けるための一実施形態として、担体部２００を磁力で日用品本体に取り付ける形態、図７の（ｂ）は同様に粘着力を利用する形態、図７の（ｃ）は同様に面ファスナーを利用する形態を表した断面図である。
【００４６】  また、図８の（ａ）は、枠体５を用いた構成４００を日用品に着脱自在に取り付けるための一実施形態として、構成４００を磁力で日用品本体に取り付ける形態、図８の（ｂ）は同様に粘着力を利用する形態、図８の（ｃ）は同様に面ファスナーを利用する形態を表した断面図である。
【００４７】  また、図９の（ａ）は、枠体６を用いた構成５００を日用品に着脱自在に取り付けるための一実施形態として、構成５００を磁力で日用品本体に取り付ける形態、図９の（ｂ）は同様に粘着力を利用する形態、図９の（ｃ）は同様に面ファスナーを利用する形態を表した断面図である。
【００４８】  これら３つの構成２００、４００、５００を日用品へ取り付けるのは同じ形態であるため、図７によって詳細を説明する。
【００４９】  図７の（ａ）の例示においては、まず、筺体３の底部に磁石部材８−１を貼り付ける。そして、ほとんどの場合、日用品に直接、磁力で接合しない材料であるから、鉄の板状の部材８−２を日用品側に貼り付けて、構成２００が日用品本体に磁力により接合可能にしたものである。さらに、構成２００の筐体３が磁力により接合可能な材質でできている場合は、日用品の本体に磁石部材を貼り付けてもよく、このような変更は任意である。
【００５０】  図７の（ｂ）の例示においては、筺体３の底部に粘着剤層８−３を設け、日用品本体に構成２００を粘着力により着脱可能にしたものである。粘着力で取り付けるのに適する日用品の材質としては、木、石、ガラス、硬質の高分子、金属などの硬い材質で、表面が平坦なものが好ましい。
【００５１】  図７の（ｃ）の例示においては、筺体３の底部と日用品の本体に面ファスナーを装着し、面ファスナーの係合力により着脱可能に取り付けるものである。面ファスナーで取り付けるのに適する日用品の材質としては、布製などのものが好ましい。
【００５２】  このように芳香成分の担体部が日用品の本体に着脱可能に取り付けることにより、芳香成分の取り換えや補充が極めて簡単に行えるようになる。さらに、日用品の具体例により、本考案の効果について詳細に説明する。なお、以下、枠体５を利用して芳香成分の担体部２００を粘着力で取り付けることを、「構成４００による芳香成分の担体部を粘着力で取り付けて」と記載することもある。また、枠体５を利用して芳香成分の担体部２００を面ファスナーで取り付けることを、「構成４００による芳香成分の担体部を面ファスナーで取り付けて」と記載することもある。また、枠体６を利用して芳香成分の担体部２００を粘着力で取り付けることを、「構成５００による芳香成分の担体部を粘着力で取り付けて」と記載することもある。そして、この記載に対する具体的な例として、「構成５００による芳香成分の担体部を粘着力で取り付けて」とはどのような構造であるかを、次の図１０中で示す。
【００５３】実施例に関する説明
【００５４】  図１０は、第一実施例として、構成５００による芳香成分の担体部を粘着力で取り付けた箪笥であり、また、図１１は、第二実施例として、構成５００による芳香成分の担体部を粘着力で取り付けた鏡台である。箪笥や鏡台などに代表される家具の部類は頻繁に移動するものではなく、ソファーなどを除いて、比較的硬質の材質のものが多いことから、枠体６を利用して芳香成分の担体部２００（＝構成５００）を取り付けて、担体部２００の着脱をより簡単にすることが好ましい。また、枠体６を日用品の本体に取り付けるのに、両面に粘着剤を塗布した市販のテープなどの粘着力程度の接合力が適する。
【００５５】  この様な、構成５００（４００への変更も可能）による芳香成分の担体部を粘着力（磁力あるいは面ファスナーへの変更も可能）で取り付けたときの構造を、最初の実施例である図１０の矢印を付した先の、芳香成分の担体部の取り付け部分の拡大図で代表して示す。本拡大図において、まず、芳香成分の担体部は、筺体３と蓋体２からなる芳香成分の担体部（２００）であり、さらにその担体部２００を嵌合により収納した枠体６（＝構成５００）が、粘着剤層８−３を介して、粘着力により箪笥の本体に取り付けられている。
【００５６】  図１２の（ａ）は、第三実施例の寝具のうちのベッド周りの日用品、（ｂ）はアイマスクである。ベッド周りの日用品として、枕、シーツ、ランプシェードなど、およびアイマスクといった布製のものについては、より強度の高い枠体５を利用して芳香成分の担体部２００（＝構成４００）を面ファスナーで取り付けている。一方、ベッド本体が木製である場合には、構成５００による芳香成分の担体部を粘着力で取り付けることが好ましい。
【００５７】  香りの中には、眠りを深くするような効果が報告されている。本考案を利用すると、自分にとって最も効果の高い香りがどれであるか簡単に試すことができる上に、その香りを自分の眠る近くの場所で持続的に発散させることも可能になる。
【００５８】  図１３は、第四実施例のカーテンであり、布製であるため、構成４００による芳香成分の担体部を面ファスナーで取り付けている。通常、カーテンから香りを発散させるには、直接、カーテンに芳香成分を吹き付けるような方法が利用されるが、例えば、水性の芳香成分を何度も吹き付けたりすると、雑菌が繁殖するような状況になりかねない。本考案ではそのような事態を防止できるため、衛生面でも優れた効果を有する。
【００５９】  図１４の（ａ）は、第五実施例の車載品の状態を表したものであり、例えば、（ｂ）はその車載品としてのカップホルダー、（ｃ）は車載用のぬいぐるみである。カップホルダーでは、硬質の高分子材料からなる場合でも、車内に担体部が落下した時に探すのが困難であることを考慮して、より担体部が抜け落ちにくい構成４００による芳香成分の担体部を粘着力で取り付けることが好ましい。また、ぬいぐるみの場合は、ほとんどが布製であるため、構成４００による芳香成分の担体部を面ファスナーで取り付けている。
【００６０】  とりわけ、車のような密閉された空間であれば、より高い芳香成分の効果が期待できる。したがって、特に精神を落ち着かせる効果があり、自分の好む香りが漂っていれば、車の運転にもよい影響が期待できる。
【００６１】  図１５は、構成５００による芳香成分の担体部を粘着力で取り付けた第六実施例のハンガーである。市販の芳香剤が好ましくない香りである時に、衣服に移るとそれだけで不快に感じることがある。ハンガーから自分の好みの香りの成分が発散できれば、そういった不快感を持つことなく、むしろ、良い香りで心地よい気持ちになる。
【００６２】  図１６は第七実施例の手鏡、図１７は第八実施例のヘアブラシである。例えば、手鏡を見ながらヘアブラシで髪を整える場合は、両方とも顔に近い所からよい香りがすることで高い効果が期待できる。ちなみに、図１６のような手鏡の構造では、芳香成分の担体部が枠体から抜け落ちにくい構成４００による芳香成分の担体部を粘着力で取り付けることが好ましい。そして、図１７のようなヘアブラシの構造では、芳香成分の担体部が取り外しやすい構成５００による芳香成分の担体部を粘着力で取り付けることが好ましい。
【００６３】  図１８は第九実施例の扇子であり、図中の矢印を付して表した部分図は、扇子の要の部分を拡大した図である。要を止めるために環状の部材１０を利用し、紐１１を通して、さらに紐を通す穴と構成４００による芳香成分の担体部の保持部を有する部材１２を付ける。さらに部材１２に、構成４００による芳香成分の担体部を粘着力で取り付けることにより、芳香成分を発散する扇子が得られる。
【００６４】  図１９は第十実施例のティッシュボックス、図２０は第十一実施例のポンプボトル、図２１は第十二実施例の小物入れである。これらの日用品は箱や容器に属するもので、芳香成分の担体部が取り外しやすい構成５００とすることが好ましい。また、ティッシュボックスや小物入れは枠体を粘着力で取り付けることが好ましく、ポンプボトルのように液ダレなどで粘着力による取り付けが困難な場合は、磁力による取り付けは好ましい態様である。
【００６５】  図２２の（ａ）は第十三実施例のキーケース、（ｂ）は第十四実施例のカードケース、（ｃ）は第十五実施例のキーホルダー、（ｄ）は第十六実施例のストラップである。これらの日用品は頻繁に持ち運びされ、また、ポケットからの出し入れの際に抜け落ち防止のため、構成４００による芳香成分の担体部をより強力な粘着力などで取り付けることが好ましい。
【００６６】  図２３は第十七実施例のハンカチ、図２４の（ａ）は第十八実施例の肌着のうちのブラジャー、（ｂ）はソックス、（ｃ）はシャツである。これらの日用品は布製である場合が多いため、構成４００による芳香成分の担体部を面ファスナーで取り付けることが好ましい。また、洗濯の際に取り外すのを忘れても、他の洗濯物に損傷を与えないよう、担体部や枠体については、柔らかめの高分子材料で作成し、面取りを施しておくことが好ましい。
【００６７】  図２５は第十九実施例のクリップ、図２６は第二十実施例の卓上カレンダーである。書類などが持ち運ばれる機会が多いことを考慮して、クリップについては構成４００による芳香成分の担体部をより強力な粘着力で取り付けることが好ましい。また、卓上カレンダーについては、あまり運搬されることがないので、構成５００による芳香成分の担体部をより強力な粘着力で取り付けることが好ましい。
【００６８】  このような日用品は机上で利用されるものが多く、その場の状況に応じて、精神を落ち着かせて集中力を高める効果や、精神を高揚させる効果の得られる香り等にこまめに取り換えて漂わせれば、机上での作業の効率の向上が期待できるようになる。
【００６９】  図２７は第二十一実施例のしおりである。しおりは比較的軟らかい材質からなり、芳香成分の担体部が枠体から抜け落ちにくい構成４００による芳香成分の担体部を粘着力で取り付けることが好ましい。この様なしおりを利用すると、読書の際によい香りがするのはもちろんのこと、それ以外に、しおりを本などに挟んで、カバンの中に入れて運ぶような場合、カバンの中によい香りをさせることができるようになる。
【００７０】  図２８は第二十二実施例の風鈴、図２９は第二十三実施例の置時計である。風鈴では、風を受ける短冊状の部分に、構成４００による芳香成分の担体部を粘着力で取り付け、また、置時計では、構成５００による芳香成分の担体部を粘着力で取り付けることができる。この様な置物においても、本考案は活用すると簡単に芳香成分を発散する日用品とすることができる。
【００７１】  図３０は第二十四実施例のイヤホンである。図３０では、イヤホンの耳に装着する側にも、ジャックの側にも構成４００による芳香成分の担体部を粘着力などで取り付けるようにしたが、どちらかの側だけであっても良い。耳に装着する側に取り付けると、鼻に近いところから芳香成分が発散されるために、より香りの効果が高まり、一方、ジャックの側に取り付けると、プレイヤー本体をかばんの中等に入れている時に、かばんの中を良い香りにするという効果が期待できる。
【００７２】  図３１は第二十五実施例の傘である。そして、構成４００による芳香成分の担体部を面ファスナーで取り付けている。傘の構造上、鼻の近辺で香りがずっと漂うことから、高い香りの効果が期待できる。
【００７３】  以上、図面を用いて説明したように、本考案を利用すると、家具・インテリア、寝具、文具、肌着、車載品、日用雑貨などの多岐にわたる日用品において、任意の芳香成分を簡単に収納、発散させる芳香成分の担体部を備えるようにして、自分の気に入った香りを周囲に放出することができる。したがって、香りの持つ種々の効果を、いつでも、また、どこでも得ることができる。
【符号の説明】
【００７４】１・・・芳香成分を収納するための部材
２・・・蓋体
３・・・筺体
４・・・芳香成分
５・・・枠体
６・・・枠体
１００・・・芳香成分の担体部
２００・・・芳香成分の担体部
【図１】
0003190201.tif 000003
【図２】
0003190201.tif 000004
0003190201.tif 000005
【図３】
0003190201.tif 000006
0003190201.tif 000007
【図４】
0003190201.tif 000008
0003190201.tif 000009
【図５】
0003190201.tif 000010
【図６】
0003190201.tif 000011
【図７】
0003190201.tif 000012
【図８】
0003190201.tif 000013
【図９】
0003190201.tif 000014
【図１０】
0003190201.tif 000015
【図１１】
0003190201.tif 000016
【図１２】
0003190201.tif 000017
【図１３】
0003190201.tif 000018
【図１４】
0003190201.tif 000019
0003190201.tif 000020
【図１５】
0003190201.tif 000021
【図１６】
0003190201.tif 000022
【図１７】
0003190201.tif 000023
【図１８】
0003190201.tif 000024
【図１９】
0003190201.tif 000025
【図２０】
0003190201.tif 000026
【図２１】
0003190201.tif 000027
【図２２】
0003190201.tif 000028
0003190201.tif 000029
【図２３】
0003190201.tif 000030
【図２４】
0003190201.tif 000031
【図２５】
0003190201.tif 000032
【図２６】
0003190201.tif 000033
【図２７】
0003190201.tif 000034
【図２８】
0003190201.tif 000035
【図２９】
0003190201.tif 000036
【図３０】
0003190201.tif 000037
【図３１】
0003190201.tif 000038
【手続補正書】
【提出日】平成26年2月14日(2014.2.14)
【手続補正１】
【補正対象書類名】図面
【補正対象項目名】図２
【補正方法】変更
【補正の内容】
【図２】
0003190201.tif 000039
【手続補正２】
【補正対象書類名】図面
【補正対象項目名】図３
【補正方法】変更
【補正の内容】
【図３】
0003190201.tif 000040
【手続補正３】
【補正対象書類名】図面
【補正対象項目名】図４
【補正方法】変更
【補正の内容】
【図４】
0003190201.tif 000041
【手続補正４】
【補正対象書類名】図面
【補正対象項目名】図１４
【補正方法】変更
【補正の内容】
【図１４】
0003190201.tif 000042
【手続補正５】
【補正対象書類名】図面
【補正対象項目名】図２２
【補正方法】変更
【補正の内容】
【図２２】
0003190201.tif 000043
【手続補正６】
【補正対象書類名】図面
【補正対象項目名】図２３
【補正方法】変更
【補正の内容】
【図２３】
0003190201.tif 000044
【手続補正７】
【補正対象書類名】図面
【補正対象項目名】図２４
【補正方法】変更
【補正の内容】
【図２４】
0003190201.tif 000045
【手続補正８】
【補正対象書類名】図面
【補正対象項目名】図２５
【補正方法】変更
【補正の内容】
【図２５】
0003190201.tif 000046
【手続補正９】
【補正対象書類名】図面
【補正対象項目名】図２６
【補正方法】変更
【補正の内容】
【図２６】
0003190201.tif 000047
【手続補正１０】
【補正対象書類名】図面
【補正対象項目名】図２７
【補正方法】変更
【補正の内容】
【図２７】
0003190201.tif 000048
【手続補正１１】
【補正対象書類名】図面
【補正対象項目名】図２８
【補正方法】変更
【補正の内容】
【図２８】
0003190201.tif 000049
【手続補正１２】
【補正対象書類名】図面
【補正対象項目名】図２９
【補正方法】変更
【補正の内容】
【図２９】
0003190201.tif 000050
【手続補正１３】
【補正対象書類名】図面
【補正対象項目名】図３０
【補正方法】変更
【補正の内容】
【図３０】
0003190201.tif 000051
【手続補正１４】
【補正対象書類名】図面
【補正対象項目名】図３１
【補正方法】変更
【補正の内容】
【図３１】
0003190201.tif 000052
【手続補正１５】
【補正対象書類名】図面
【補正対象項目名】図３２
【補正方法】追加
【補正の内容】
【図３２】
0003190201.tif 000053
【手続補正１６】
【補正対象書類名】明細書
【補正対象項目名】００２４
【補正方法】変更
【補正の内容】
【００２４】
【図１】（ａ）は芳香成分の担体部の一実施形態を示した断面図である。（ｂ）はその担体部の立体図である。
【図２】（ａ）は筺体と蓋体とで構成される芳香成分の担体部の一実施形態を示す断面図である。（ｂ）はその実施形態の蓋体を筺体に取り付ける前の状態を示す芳香成分の担体部の立体図である。（ｃ）はその実施形態の蓋体を筺体に取り付けた後の状態を示す芳香成分の担体部の立体図である。
【図３】（ａ）は芳香成分の担体部の筺体内に液体の芳香成分を収納した例を示す断面図である。（ｂ）は芳香成分の担体部の筺体内に粒子状の芳香成分を収納した例を示す断面図である。（ｃ）は芳香成分の担体部の筺体内に固体の芳香成分を収納した例を示す断面図である。（ｄ）は芳香成分の担体部の筺体内に芳香成分を含浸させた多孔質の焼結体を収納した例を示す断面図である。（ｅ）は芳香成分の担体部の筺体内に液状の芳香成分を含浸させた繊維質のものを収納した例を示す断面図である。
【図４】（ａ）は芳香成分の担体部の枠体の一実施形態を示した立体図である。（ｂ）および（ｃ）は当該枠体に、それぞれ図１及び図２の芳香成分の担体部を内挿した状態を示した立体図である。
【図５】（ａ）は芳香成分の担体部の枠体の他の一実施形態を示した断面図である。（ｂ）は芳香成分の担体部を枠体に挿入した時の状態を示した断面図である。
【図６】（ａ）は図５で示した芳香成分の担体部の枠体に、芳香成分の担体部を内挿する前の立体図である。（ｂ）は当該枠体に芳香成分の担体部を挿入した後の状態を示した立体図である。
【図７】（ａ）は図２で示した芳香成分の担体部を日用品の本体に取り付ける一実施形態を示した断面図である。（ｂ）は図２で示した芳香成分の担体部を日用品の本体に取り付ける他の実施形態を示した断面図である。（ｃ）は図２で示した芳香成分の担体部を日用品の本体に取り付ける他の実施形態を示した断面図である。
【図８】（ａ）は図４で示した芳香成分の担体部の枠体を日用品の本体に取り付ける一実施形態を示した断面図である。（ｂ）は図４で示した芳香成分の担体部の枠体を日用品の本体に取り付ける他の実施形態を示した断面図である。（ｃ）は図４で示した芳香成分の担体部の枠体を日用品の本体に取り付ける他の実施形態を示した断面図である。
【図９】（ａ）は図５で示した芳香成分の担体部の枠体を日用品の本体に取り付ける一実施形態を示した断面図である。（ｂ）は図５で示した芳香成分の担体部の枠体を日用品の本体に取り付ける他の実施形態を示した断面図である。（ｃ）は図５で示した芳香成分の担体部の枠体を日用品の本体に取り付ける他の実施形態を示した断面図である。
【図１０】本考案の第一実施例の箪笥の立体図である。
【図１１】本考案の第二実施例の鏡台の立体図である。
【図１２】（ａ）は本考案の第三実施例の寝具のうちのベッド周りを表す立体図である。（ｂ）は本考案の第三実施例の寝具のうちのアイマスクの立体図である。
【図１３】本考案の第四実施例のカーテンの立体図である。
【図１４】（ａ）は本考案の第五実施例の車載品の状態を表す立体図である。（ｂ）はその車載品としてのカップホルダーの立体図である。（ｃ）はその車載品としてのぬいぐるみの平面図である。
【図１５】本考案の第六実施例のハンガーの立体図である。
【図１６】本考案の第七実施例の手鏡の立体図である。
【図１７】本考案の第八実施例のヘアブラシの立体図である。
【図１８】本考案の第九実施例の扇子の立体図である。
【図１９】本考案の第十実施例のティッシュボックスの立体図である。
【図２０】本考案の第十一実施例のポンプボトルの立体図である。
【図２１】本考案の第十二実施例の小物入れの立体図である。
【図２２】（ａ）は本考案の第十三実施例のキーケースの立体図である。（ｂ）は本考案の第十四実施例のカードケースの立体図である。
【図２３】（ａ）は本考案の第十五実施例のキーホルダーの立体図である。（ｃ）は本考案の第十六実施例のストラップの立体図である。
【図２４】本考案の第十七実施例のハンカチの立体図である。
【図２５】（ａ）は本考案の第十八実施例の肌着のうちの、ブラジャーの部分平面図である。（ｂ）は本考案の第十八実施例の肌着のうちの、ソックスの平面図である。（ｃ）は本考案の第十八実施例の肌着のうちの、シャツの平面図である。
【図２６】本考案の第十九実施例のクリップの立体図である。
【図２７】本考案の第二十実施例の卓上カレンダーの立体図である。
【図２８】本考案の第二十一実施例のしおりの立体図である。
【図２９】本考案の第二十二実施例の風鈴の立体図である。
【図３０】本考案の第二十三実施例の置時計の立体図である。
【図３１】本考案の第二十四実施例のイヤホンの立体図である。
【図３２】本考案の第二十五実施例の傘の立体図である。
【手続補正１７】
【補正対象書類名】明細書
【補正対象項目名】００６５
【補正方法】変更
【補正の内容】
【００６５】  図２２の（ａ）は第十三実施例のキーケース、（ｂ）は第十四実施例のカードケース、図２３の（ａ）は第十五実施例のキーホルダー、（ｂ）は第十六実施例のストラップである。これらの日用品は頻繁に持ち運びされ、また、ポケットからの出し入れの際に抜け落ち防止のため、構成４００による芳香成分の担体部をより強力な粘着力などで取り付けることが好ましい。
【手続補正１８】
【補正対象書類名】明細書
【補正対象項目名】００６６
【補正方法】変更
【補正の内容】
【００６６】  図２４は第十七実施例のハンカチ、図２５の（ａ）は第十八実施例の肌着のうちのブラジャー、（ｂ）はソックス、（ｃ）はシャツである。これらの日用品は布製である場合が多いため、構成４００による芳香成分の担体部を面ファスナーで取り付けることが好ましい。また、洗濯の際に取り外すのを忘れても、他の洗濯物に損傷を与えないよう、担体部や枠体については、柔らかめの高分子材料で作成し、面取りを施しておくことが好ましい。
【手続補正１９】
【補正対象書類名】明細書
【補正対象項目名】００６７
【補正方法】変更
【補正の内容】
【００６７】  図２６は第十九実施例のクリップ、図２７は第二十実施例の卓上カレンダーである。書類などが持ち運ばれる機会が多いことを考慮して、クリップについては構成４００による芳香成分の担体部をより強力な粘着力で取り付けることが好ましい。また、卓上カレンダーについては、あまり運搬されることがないので、構成５００による芳香成分の担体部をより強力な粘着力で取り付けることが好ましい。
【手続補正２０】
【補正対象書類名】明細書
【補正対象項目名】００６９
【補正方法】変更
【補正の内容】
【００６９】  図２８は第二十一実施例のしおりである。しおりは比較的軟らかい材質からなり、芳香成分の担体部が枠体から抜け落ちにくい構成４００による芳香成分の担体部を粘着力で取り付けることが好ましい。この様なしおりを利用すると、読書の際によい香りがするのはもちろんのこと、それ以外に、しおりを本などに挟んで、カバンの中に入れて運ぶような場合、カバンの中によい香りをさせることができるようになる。
【手続補正２１】
【補正対象書類名】明細書
【補正対象項目名】００７０
【補正方法】変更
【補正の内容】
【００７０】  図２９は第二十二実施例の風鈴、図３０は第二十三実施例の置時計である。風鈴では、風を受ける短冊状の部分に、構成４００による芳香成分の担体部を粘着力で取り付け、また、置時計では、構成５００による芳香成分の担体部を粘着力で取り付けることができる。この様な置物においても、本考案は活用すると簡単に芳香成分を発散する日用品とすることができる。
【手続補正２２】
【補正対象書類名】明細書
【補正対象項目名】００７１
【補正方法】変更
【補正の内容】
【００７１】  図３１は第二十四実施例のイヤホンである。図３１では、イヤホンの耳に装着する側にも、ジャックの側にも構成４００による芳香成分の担体部を粘着力などで取り付けるようにしたが、どちらかの側だけであっても良い。耳に装着する側に取り付けると、鼻に近いところから芳香成分が発散されるために、より香りの効果が高まり、一方、ジャックの側に取り付けると、プレイヤー本体をかばんの中等に入れている時に、かばんの中を良い香りにするという効果が期待できる。
【手続補正２３】
【補正対象書類名】明細書
【補正対象項目名】００７２
【補正方法】変更
【補正の内容】
【００７２】  図３２は第二十五実施例の傘である。そして、構成４００による芳香成分の担体部を面ファスナーで取り付けている。傘の構造上、鼻の近辺で香りがずっと漂うことから、高い香りの効果が期待できる。